(57)【要約】      （修正有）【課題】容易に作製することができ、かつ教育目的に利用できる小型液体噴射装置を提供する。【解決手段】端部に少なくとも１つ以上の液体噴射口が形成された液体噴射部２０と、開口部２２と、開口部と液体噴射部とに連通して形成され、内部に液体を貯蔵する液体貯蔵部とを有し、液体貯蔵部の一部または全部と第１の把持部２５とが一体的に形成された砲身２と、第２の把持部３５と一体的に形成され、砲身の開口部を通って液体貯蔵部に嵌合するように形成されたピストン３とを具備する。【選択図】図１
0003191810.tif 000002
【実用新案登録請求の範囲】
【請求項１】
端部に少なくとも１つ以上の液体噴射口が形成された液体噴射部と、開口部と、当該開口部と当該液体噴射部とに連通して形成され、内部に液体を貯蔵する液体貯蔵部とを有し、当該液体貯蔵部の一部または全部と第１の把持部とが一体的に形成された砲身と、
第２の把持部と一体的に形成され、前記砲身の開口部を通って前記液体貯蔵部に嵌合するように形成されたピストンと
を具備する小型液体噴射装置。
【請求項２】
前記液体噴射部が２つ以上あることを特徴とする請求項１に記載の小型液体噴射装置。
【請求項３】
前記液体噴射口が液体噴射部に複数形成され、液体噴射口の少なくとも１つが、他の液体噴射口から噴射される液体とは異なる方向に噴射されるように形成されていることを特徴とする請求項１または２に記載の小型液体噴射装置。
【考案の詳細な説明】
【技術分野】
【０００１】
本考案は、容易に作製することができ、かつ教育目的に利用できる小型液体噴射装置に関するものである。
【背景技術】
【０００２】
液体を噴射する装置としては、様々なものが存在する。たとえば、大型の液体噴射装置としては、噴水装置や消防自動車に搭載されている放水銃などがある。一方、小型の液体噴射装置としては、インクジェットプリンターに搭載されているインクジェットヘッドなどがある。
【０００３】
また、比較的身近な小型の液体噴射装置として、子供たちの遊びに用いる水鉄砲がある。たとえば特許文献１には、ボトルを圧力タンクに利用することにより、子供のような使用者の遊技心を満足させることができる水鉄砲が開示されている。さらに、特許文献２には、引き金の操作に連動して水の噴射を視覚的に表示することができる水鉄砲が開示されている。
【先行技術文献】
【特許文献】
【０００４】
【特許文献１】特開２００１−２４１８９１
【特許文献２】実用新案登録第３０２５３４７号
【考案の概要】
【考案が解決しようとする課題】
【０００５】
しかしながら、これらの装置は複雑な構造をしているため、個人がこれらの装置を作製することができないという問題点があった。また、これらの装置を駆動させるためには何らかの動力が必要であるため、動力源がないところではこれらの装置を作動させることができないという問題点があった。さらには、上記のような理由により、ものづくりを通して、子供たちにものづくりの大切さを教えるという教育目的に、これらの装置を利用できないという問題点があった。
本発明は、上述した事情に鑑み、容易に作製することができ、かつ教育目的に利用できる小型液体噴射装置を提供することを目的とする。
【０００６】
本考案の考案者は、子供たちの教育に役立ち、かつ楽しく遊べることができる小型液体噴射装置について、鋭意研究を続けた結果、以下のような画期的な小型液体噴射装置を考案することに至った。
【課題を解決するための手段】
【０００７】
本考案に係る第１の態様は、端部に少なくとも１つ以上の液体噴射口が形成された液体噴射部と、開口部と、開口部と液体噴射部とに連通して形成され、内部に液体を貯蔵する液体貯蔵部とを有し、液体貯蔵部の一部または全部と第１の把持部とが一体的に形成された砲身と、第２の把持部と一体的に形成され、砲身の開口部を通って液体貯蔵部に嵌合するように形成されたピストンとを具備する小型液体噴射装置にある。
かかる第１の態様では、容易に作製することができ、かつ教育目的に利用できる小型液体噴射装置を提供することができる。
【０００８】
本考案に係る第２の態様は、液体噴射部が２つ以上あることを特徴とする第１の態様に記載の小型液体噴射装置にある。
かかる第２の態様では、異なる方向に液体を噴射することができ、その結果子供のような使用者を楽しませることができる。
【０００９】
本発明の第３の態様は、液体噴射口が液体噴射部に複数形成され、液体噴射口の少なくとも１つが、他の液体噴射口から噴射される液体とは異なる方向に噴射されるように形成されていることを特徴とする第１または第２の態様に記載の小型液体噴射装置にある。
かかる第３の態様では、同一の液体噴射部から異なる方向に液体を噴射させることができ、その結果子供のような使用者をさらに楽しませることができる。
【図面の簡単な説明】
【００１０】
【図１】実施形態１に係る小型液体噴射装置の概略図である。
【図２】ピストンを砲身に挿入した際の概略断面図である。
【図３】実施形態１に係る小型液体噴射装置を構成する部材の概略図である。
【図４】実施形態２に係る小型液体噴射装置の概略図である。
【図５】実施形態３に係る液体噴射部の拡大概略図である。
【図６】実施形態４に係る小型液体噴射装置の概略図である。
【図７】実施形態５に係る小型液体噴射装置の概略図である。
【考案を実施するための形態】
【００１１】
以下、実施形態を用いて本考案を説明するが、本考案はこれに限定されるものではない。また、本考案において、液体とは、水や、塩、色素等を溶解させた水だけでなく、ある程度粘度が高い液体（人力で射出することができる液体）を含むものである。
（実施形態１）
【００１２】
図１に本実施形態に係る小型液体噴射装置の外観概略図を、図２に砲身にピストンを挿入した際の概略断面図を示す。これらの図に示すように、本考案に係る小型液体噴射装置１は、円筒状の砲身２と、円柱状のピストン３の二つの部材で構成されている。
【００１３】
砲身２の一方の端部には、複数の液体噴射口２１が形成された液体噴射部２０が設けられ、砲身２の他方の端部には開口部２２が設けられている。液体噴射口２１は、砲身２の軸方向に開口しており、液体を砲身２の軸方向に噴射できるようになっている。また、開口部２２と液体噴射部２０との間には、液体を貯蔵するための液体貯蔵部２３が第１の把持部２５と一体的に形成され、開口部２２および液体噴射部２０の間を液体が流通できるようになっている。
【００１４】
ピストン３の一方の端部には液体に加圧するための加圧部３３が形成され、ピストン３の他方の端部には第２の把持部３５が形成されている。
ここで、ピストン３の加圧部３３には、ビニールテープや布などを巻きつけておいても良い。加圧部３３にビニールテープや布などを巻きつけることにより、ピストン３を砲身２の開口部２２から挿入して液体貯蔵部２３に嵌合させた際に、ピストン３の加圧部３３と液体貯蔵部２３との間に隙間を生じさせないようすることができるので、液体漏れを防ぐことができる。
【００１５】
砲身２およびピストン３を構成する材料としては、ある程度の水圧に耐えることができるものであれば特に限定されないが、子供のような力がない使用者が使用する場合には軽い材質が好ましく、加工性・剛性・重量を考慮すると塩化ビニールが最も好ましい。なお、入手し易さを考慮すると、中空の塩化ビニール管等を材料として用いることにより、軽量な小型液体噴射装置１を容易に作製することができる。
【００１６】
たとえば、図３に示すように、ドリルや錐等を用いて複数の液体噴射口が形成された有底ビニール管２ｂの端部に、塩化ビニール管２ａの端部を少し挿入し、その状態を接着剤等で固定することにより砲身２を容易に作製することができる。また、同様に、塩化ビニール管３ａの両端部に遊底ビニール管３ｂ、３ｃをそれぞれ少し挿入し、その状態を接着剤等で固定することによりピストン３を容易に作製することができる。
【００１７】
次に、小型液体噴射装置１の使用方法について説明する。本実施形態の小型液体噴射装置１は、液体貯蔵部２３に液体を貯蔵した状態で、ピストン３を砲身２の開口部２２から圧入して液体貯蔵部２３に貯蔵された液体に圧力を加えることにより、液体噴射口２１から液体を噴射させることができる。
【００１８】
液体貯蔵部２３に液体を貯蔵する方法としては、砲身２自体を液体中に沈めた状態でピストン３を砲身２の液体貯蔵部２３に浅く挿入し、その状態のまま砲身２およびピストン３を液体から取り出す方法がある。また、ピストン３を砲身２の液体貯蔵部２３に深く嵌合させた状態で砲身２の液体噴射部２０を液体中に沈め、その後ピストン３を液体貯蔵部２３から少し引き抜く（完全に引き抜かない）ことにより、液体噴射口２１から液体貯蔵部２３に液体を流入させることができる。その結果、液体貯蔵部２３に液体を貯蔵することができる。
（実施形態２）
【００１９】
実施形態１では、液体噴射部２０の端面部を、砲身２の軸方向に対して垂直に位置する平面で構成したが、本考案に係る小型液体噴射装置はこれに限定されない。たとえば、図４に示すように、砲身２Ａの液体噴射部２０Ａの端面部を半球面状の曲面で構成してもよい。同様に、ピストン３Ａの加圧部３３Ａの端面部やピストン３Ａの一方の端面部を半球面状の曲面で構成してもよい。このように小型液体噴射装置１Ａを構成することにより、子供のような使用者が小型液体噴射装置１Ａを誤って使用した際の怪我等を負う確率を低減させることができる。
（実施形態３）
【００２０】
実施形態１および２では、液体噴射部２０、２０Ａが１つ形成されている小型液体噴射装置１、１Ａを説明したが、本考案に係る小型液体噴射装置はこれに限定されない。たとえば、図５に示すように、各液体噴射口２１の開口方向が直交するように、２つの液体噴射部２０ａ、２０ｂが設けられた砲身２Ｂで構成された小型液体噴射装置１Ｂであってもよい。
【００２１】
このように小型液体噴射装置１Ｂを構成することで、ピストン３を砲身２Ｂに挿入することにより、液体噴射部２０ａの液体噴射口２１から噴射される液体に対し、液体噴射部２０ｂの液体噴射口２１から噴射される液体が垂直方向に噴射されることになる。その結果、子供のような使用者を喜ばせることができる。
【００２２】
なお、本実施形態に係る小型液体噴射装置１Ｂは、液体噴射口２１の開口方向が直交するように、２つの液体噴射部２０ａ、２０ｂを形成したが、本実施形態に係る小型液体噴射装置はこれに限定されない。液体噴射部は２つである必要はなく、それ以上の数の液体噴射部があってもよい。また、各液体噴射部に形成された液体噴射口２１の開口方向が成す角度は、直交である必要はなく、さまざまな角度であってもよい。このように小型液体噴射装置を構成しても、本実施形態に係る小型液体噴射装置１Ｂと同様の効果が得られる。
（実施形態４）
【００２３】
実施形態１および２に係る小型液体噴射装置１、１Ａでは、液体噴射部２０に形成された各液体噴射口２１は、砲身２、２Ａの軸方向と同一（垂直）方向に開口していたが、本考案に係る小型液体噴射装置はこれに限定されない。
【００２４】
たとえば、図６に示すように、異なる方向に液体が噴射できるように、各液体噴射口２１Ｂが開口するように形成された液体噴射部２０Ｂで小型液体噴射装置を構成してもよい。この液体噴射部２０Ｂに形成される液体噴射口２１Ｂは、砲身２の端部に形成された曲面部２７（その液体噴射口２１Ｂが位置する曲面部２７）の曲面に対し、垂直方向に開口するように形成されている。その結果、この小型液体噴射装置１Ｂの液体噴射部２０Ｂから放射状に液体が噴射されることになる。このような液体の噴射は、子供のような使用者を喜ばせることができる。
【００２５】
なお、本実施形態に係る液体噴射部はこれに限定されず、様々な方向に液体が噴射されるように液体噴射部を構成してもよい。このように小型液体噴射装置を構成しても、本実施形態に係る小型液体噴射装置と同様の効果が得られる。
（実施形態５）
【００２６】
実施形態１、２に係る小型液体噴射装置１、１Ａでは、多くの液体を貯蔵できるように、液体貯蔵部２０の砲身の軸方向の長さをできるだけ長くなるように構成したが、本考案に係る小型液体噴射装置はこれに限定されない。
【００２７】
たとえば、図７に示すように、実施形態１、２に係る小型液体噴射装置１、１Ａの砲身２と比較して、軸方向の長さが短い砲身２Ｃで小型液体噴射装置１Ｃを構成してもよい。このように構成することにより、液体貯蔵部に貯蔵される液体の量を少なくすることができる。その結果、液体が貯蔵された状態における小型液体噴射装置１Ｃの総重量を低く抑えることができる。
（その他の実施形態）
【００２８】
本考案に係る小型液体噴射装置は、上述した小型液体噴射装置に限定されず、これらを組み合わせたものも含まれる。このように小型液体噴射装置を構成しても、上述した小型液体噴射装置と同様の効果が得られる。
【００２９】
また、砲身の液体噴射部側端部や、ピストンの第２の把持部側端部に、たとえばプラスチック製のキャラクター等の装飾部品を直接取り付けたり、ひも等を介して括り付けてもよい。これらの装飾部品を砲身やピストンに取り付ける等することにより、子供のような使用者をより楽しい気分にさせることができる。
【００３０】
さらに、上述した実施形態１、２および４では、液体噴射部における液体噴射口の配置については特に限定していないが、たとえばひらがな状やアルファベット状の文字状に配置してもよい。このように配置することにより、液体を文字状に噴射することができるので、子供のような使用者をより楽しませることができる。
【符号の説明】
【００３１】
１、１Ａ、１Ｂ、１Ｃ  小型液体噴射装置
２、２Ａ  砲身
２ａ、２ｂ、３ａ、３ｂ、３ｃ  塩化ビニール管
３、３Ａ  ピストン
２０、２０Ａ、２０Ｂ、２０ａ、２０ｂ  液体噴射部
２１、２１Ｂ  液体噴射口
２２  開口部
２３  液体貯蔵部
２５  第１の把持部
２７  曲面部
３３、３３Ａ  加圧部
３５  第２の把持部
【図１】
0003191810.tif 000003
【図２】
0003191810.tif 000004
【図３】
0003191810.tif 000005
【図４】
0003191810.tif 000006
【図５】
0003191810.tif 000007
【図６】
0003191810.tif 000008
【図７】
0003191810.tif 000009